(57)【特許請求の範囲】
【請求項１】
家具の扉に取り付ける係合体と、家具の地板または天板に取り付ける受体とからなっていて、係合体に穿設された押し込み孔にはバネ付勢されて上下動する係合片が設置されており、該係合片は扉と反対側が傾斜部で扉側が垂直部となった楔状を呈している家具用ラッチにおいて、受体は上筒、下筒、プッシャー、圧縮バネから構成されており、上筒上部には前記係合体の係合片を嵌合できる嵌合穴が形成されていて、下筒上部には内方フランジが形成されているとともに、下筒下部には大径部が形成されており、またプッシャーは中央部が円柱部となっていて、プッシャー下端には下筒の大径部を摺動できる押しボタンが形成されており、さらに円柱部の上端には制止板が設置されていて、下筒の内方フランジと押しボタン間には圧縮バネが設置されており、そして押しボタンが下筒の大径部内を摺動し、円柱部が下筒の内方フランジ内を摺動して、バネ付勢されたプッシャーが受体の嵌合穴に嵌合された係合片を押し出すようになっていることを特徴とする家具用ラッチ。
【発明の詳細な説明】
【技術分野】
【０００１】  本発明は、厨房の吊棚、下駄箱、本箱などの家具に設置して、開き扉が閉時にロック状態となるラッチに関する。
【背景技術】
【０００２】  扉が前方に開く家具では、閉じられた扉が風や家具の多少の前傾などで容易に開いてしまうことがある。そこで扉が容易に開かないようにするため、家具にはラッチが取り付けられている。一般に家具に取り付けられているラッチは、マグネットラッチが多い。このマグネットラッチとは、家具本体側に磁石を取り付け、扉側に鉄片を取り付けたものである。マグネットラッチを取り付けた家具では、扉を閉めるときには扉の鉄片を家具本体の磁石に吸着させるだけで扉が閉状態となり、扉を開けるときには磁石の吸着力よりも少し強い力で扉を引けば、扉は簡単に開くようになっている。該マグネットラッチは、構造が簡単であるため安価であり、また家具への取り付けもきわめて容易に行えるという経済性と簡便性を兼ね備えている。【０００３】  しかしながら、マグネットラッチを取り付けた家具では、磁石の吸着力よりも少し強い力がかかると扉が簡単に開いてしまう。従って、マグネットラッチを取り付けた家具では、地震が発生した場合、家具が倒れないまでも少し傾斜したときに家具内の収納物が扉に当たると、その当たった勢いで扉が簡単に開いて収納物が家具から飛び出てしまうことがある。このとき家具の収納物が衣類や靴等のように壊れないものであれば問題ないが、収納物がガラス器具や食器等のように壊れやすい物では、家具から飛び出たときに破損してしまうばかりでなく、それが人に当たった場合には、人に損傷を負わす恐れがある。つまりガラス器具や食器等を収納する厨房用の家具においては、マグネットラッチは適していないものである。【０００４】  そこで地震が発生して家具が傾斜しても、扉が開かないようにしたロック付きのラッチが多数提案されている。（特許文献１〜５）
【特許文献１】実開平８−６２号公報
【特許文献２】特開平８−１３５２７８号公報
【特許文献３】特開平８−２５４０５８号公報
【特許文献４】特開平８−２８４５１１号公報
【特許文献５】特開平９−６７９６９号公報
【発明が解決しようとする課題】
【０００５】  ところで従来のロック付きラッチは、構造が非常に複雑であるばかりでなく、取り付けにも多大な手間を要するものであった。本発明は、構造が簡単で取り付けが容易に行えるというラッチを提供することにある。
【課題を解決するための手段】
【０００６】  本発明者は、楔状のものを上下動可能にし、さらにこれにバネ付勢をしておくと、楔状の傾斜した部分に物が当たったときに、傾斜した分部が物に対して滑りながらバネ付勢に抗して上下方向に容易に移動することに着目して本発明を完成させた。
【０００７】本発明は、家具の扉に取り付ける係合体と、家具の地板または天板に取り付ける受体とからなっていて、係合体に穿設された押し込み孔にはバネ付勢されて上下動する係合片が設置されており、該係合片は扉と反対側が傾斜部で扉側が垂直部となった楔状を呈している家具用ラッチにおいて、受体は上筒、下筒、プッシャー、圧縮バネから構成されており、上筒上部には前記係合体の係合片を嵌合できる嵌合穴が形成されていて、下筒上部には内方フランジが形成されているとともに、下筒下部には大径部が形成されており、またプッシャーは中央部が円柱部となっていて、プッシャー下端には下筒の大径部を摺動できる押しボタンが形成されており、さらに円柱部の上端には制止板が設置されていて、下筒の内方フランジと押しボタン間には圧縮バネが設置されており、そして押しボタンが下筒の大径部内を摺動し、円柱部が下筒の内方フランジ内を摺動して、バネ付勢されたプッシャーが受体の嵌合穴に嵌合された係合片を押し出すようになっていることを特徴とする家具用ラッチである。
【０００８】  本発明のラッチの受体は、家具の地板または天板に取付穴を穿設して、該取付穴に挿入することにより取り付けるものであるが、取り付け後、受体が抜けるのを防ぐため、受体の上下部に外方フランジを形成しておく。上下部に外方フランジが形成された受体を地板または天板の取付穴に挿入するときには、外方フランジが邪魔となって挿入できなくなる。そこで受体を上下二分割した上筒と下筒にしておいて、受体の上筒を取付穴の上方から挿入し、下筒を取付穴の下方から挿入する。
【発明の効果】
【０００９】  本発明のラッチは、係合体が木ネジだけで取り付けられ、また受体が地板または天板に穿設した取付穴に挿入するだけで取り付けられるという簡単な作業で行えるため、熟練を必要とせず誰にでも容易に取り付けができるものである。また本発明のラッチは、扉を閉めるときには係合片の傾斜部が地板または天板に沿って滑るため軽い力で係合体の係合片を受体の嵌合穴に嵌合できるばかりでなく、係合片が受体に嵌合された後は係合片の垂直部が受体の嵌合穴から容易に抜け出ないことから、地震で家具が傾斜しても扉は決して開くことがないという操作性と安全性に優れたものである。
【実施例】
【００１０】  以下図面に基づいて本発明のラッチについて説明する。図１は本発明ラッチを取り付けた家具の扉を閉める直前の説明図、図２は扉を閉めるときの係合体が受体に嵌合される直前の説明図、図３は係合体が受体に嵌合したときの説明図、図４は扉を開けるときに係合体が受体から外れる説明図、図５は図１の平面図、図６は係合体の斜視図である。【００１１】  本発明のラッチは、扉に取り付ける係合体と、地板または天板に取り付ける受体が一組となっているものである。本発明のラッチは、厨房の吊棚のように高いところに設置するものに対しては、受体を家具の下面となる地板に取り付け、下駄箱のように低いところに置くものに対しては家具の上面となる天板に取りつける。ここでは高いところの吊棚のような家具に取り付けるラッチを想定して上下関係をいう。本発明のラッチを取り付ける家具には、扉を閉めた状態のときに、扉を少し開く方にバネ付勢された蝶番が取り付けられている。つまり該蝶番は、ラッチの嵌合を解除したときに、バネ付勢で扉が少し開くようになっているものである。【００１２】  係合体１は、扉２に取り付けるものである。係合体１の中央は、図６に示すように縦方に長い直方体であり、係合体の一面から両側に延長してウイング３、３が形成されている。両ウイング３、３にはネジ穴４、４が穿設されており、ネジ穴４、４に木ネジ５、５を挿通して吊棚の扉２の内側下部に係合体１を固定する。また係合体１には上部が天井６となった矩形の押込み穴７が形成されている。押込み穴７には、該押込み穴内を摺動可能な係合片８が挿入されている。【００１３】  係合片８の下部は、扉２と反対側（図中左）が傾斜部１１、扉側（図中右）が垂直部１２となった楔状である。また係合片８の上部には短い円柱状の突起１３が形成されており、押込み穴７内には天井６と係合片８間に圧縮バネ１４が設置されている。該圧縮バネは、突起１３を囲うように設置されていて、突起１３により位置ずれしないようになっている。従って、係合片８は常時、下方にバネ付勢された状態となっている。【００１４】  受体１５は、家具の地板１６に取り付けるものである。受体１５は上筒１７、下筒１８、プッシャー１９、圧縮バネ２０から構成されている。【００１５】  上筒１７は上部に外方フランジ２１が形成されている。上筒１７の嵌合穴２２は、図５に示すように扉２側の一部が平らな面の当接部２３となっている。該当接部は、前述係合片８の横幅よりも少し幅が広くなっている。【００１６】  下筒１８の外径は、前述上筒１７の外径と同一径である。下筒１８の下部には外方フランジ２４が形成されており、また上部には内方フランジ２５が形成されている。下筒１８の内側下部は大径部２６となっており、その上は小径部２７となっている。下筒１８内にはプッシャー１９が設置されている。プッシャー１９は中央が円柱部２８であり、円柱部２８の下端に押しボタン２９が形成されている。また円柱部２８の上端には制止板３０が固定されている。下筒１８の内方フランジ２５と押しボタン２９間には圧縮バネ２０が設置されている。押しボタン２９は、下筒１８の大径部２６内を摺動し、円柱部２８は下筒１８の内方フランジ２５を摺動するようになっている。���号３１は扉２を閉めたときにクッションの役目をする戸当りである。【００１７】  次に上記構成からなるラッチの取付について説明する。先ず係合体１を扉２の下部に取り付ける。係合体１の取り付け位置は、扉を開閉する蝶番の取り付け位置から遠い位置、即ち扉が大きく開く位置であり、しかも地板１６よりも少し上方となる位置である。この位置に係合体１の両ウイング３、３のネジ穴４、４に木ネジ５、５を挿通して係合体１を扉２に強固に取り付ける。【００１８】  次に受体１５を取り付けるための取付穴３２を地板１６に穿設する。該取付穴の位置は、扉２を蝶番のバネ付勢に抗して完全に閉めたときに、係合片８が上筒１７の嵌合穴２２に完全に入り込むことができる位置、つまり扉２を完全に閉めたときに係合片８の垂直面１２が嵌合穴２２の当接部２３よりも少し奥方となるような位置にする。【００１９】  地板１６の所定の位置に取付穴３２が穿設されたならば、上筒１７を取付穴３２の上方から挿入し、下筒１８を取付穴３２の下方から挿入する。上筒１７と下筒１８の固定は、図示しない貫通孔にネジを挿通することにより行う。【００２０】  ここで本発明のラッチを取り付けた家具において、扉の開閉について説明する。図１に示すように、開いていた扉２を矢印Ａの方向に手で押して閉める。このとき係合体１の係合片８は圧縮バネ１４で下方に押されているため、下方に突出していて地板１６に当たる位置にある。【００２１】  さらに扉２を矢印Ａ方向に押すと、図２に示すように係合片８は、傾斜部１１が地板１６の戸当り３１に当たり、戸当りに押されて上方に押し上げられる。その状態で係合片８の下端は続いて受体１５の外方フランジ２１上を滑っていく。【００２２】  そしてさらに扉２を閉める方向に押すと、図３に示すように、係合片８は受体１５の嵌合穴２２に達し、ここでバネ付勢により嵌合穴２２内に嵌合する。このとき係合片８の垂直部１２が嵌合穴２２の直線状の当接部２３に密着するため、安定した嵌合状態となる。【００２３】  扉２を開けるときには、図４に示すようにプッシャー１９の押しボタン２９を下方から上方に押込む（矢印ｘ）。するとプッシャー１９の制止板３０が嵌合穴２２内に嵌合されていた係合片８を上方に押し出す。このとき扉２は開く方向にバネ付勢された蝶番で支持されているため、係合片８が嵌合穴２２から抜け出ると同時に、扉２が矢印Ｂ方向に開くようになる。この扉が開く状態とは、扉が地板から少し離れる程度の開きであるため、その後は手で扉を開くようにする。【００２４】  本発明のラッチを取り付けた家具内に多数の本を収納し、該家具を約３０度前方に傾斜させた実験を行ったところ、中の本は扉に当たったが、扉を押し開くことがなく、完全に閉まった状態であった。一方、マグネットラッチを取り付けた家具で同様の実験を行ったところ、扉に当たった本で扉が簡単に開き、中に収納されていた本が外部に飛び出してしまった。
【産業上の利用可能性】
【００２５】  本発明のラッチは、食器棚、下駄箱、本箱などの家具に適したものであるが、家具以外にも机の下部に収納自在な袖机、小型冷蔵庫などにも取り付けることができるものである。
【図面の簡単な説明】
【００２６】
【図１】本発明ラッチを取り付けた家具の扉を閉める直前の説明図
【図２】扉を閉めるときの係合体が受体に嵌合される直前の説明図
【図３】係合体が受体に勘合したときの説明図
【図４】扉を開けるときに受体が係合体から外れる説明図
【図５】図１の平面図
【図６】係合体の斜視図
【符号の説明】
【００２７】  １  係合体
２  扉
８  係合片
１１  傾斜部
１２  垂直部
１５  受体
１６  地板
１７  上筒
１８  下筒
１９  プッシャー
２２  嵌合穴
２３  当接部
【図１】
0004671190.tif 000002
【図２】
0004671190.tif 000003
【図３】
0004671190.tif 000004
【図４】
0004671190.tif 000005
【図５】
0004671190.tif 000006
【図６】
0004671190.tif 000007